(57)【要約】【課題】情報の表示が、エレベータロビーの設計を損なうことなく可能とされ、それにもかかわらず情報の質的にハイグレードな表示を達成する、エレベータ設備およびエレベータ設備の昇降路扉への情報の表示のための方法を示す。【解決手段】エレベータ設備１０は、建物における階Ｓ１、Ｓ２、Ｓ３、Ｓ４の間をエレベータ昇降路１１内で移動させられるエレベータケージ１２を備えている。エレベータ昇降路１１を閉じるための昇降路扉１３は、各階Ｓ１、Ｓ２、Ｓ３、Ｓ４に配置されている。加えて、本発明は、昇降路扉１３に情報を表示するための方法に関する。昇降路扉１３への画像の質的にハイグレードな投影を可能とさせるために、昇降路扉１３は、少なくとも部分的に透明となるように形成され、プロジェクタ１５、１６、１７は、エレベータ昇降路１１内に配置され、且つ昇降路扉１３への画像の投影のために設けられている。【選択図】      図１
2006111448.tif 000002
【特許請求の範囲】
【請求項１】
階（Ｓ１、Ｓ２、Ｓ３、Ｓ４）の間をエレベータ昇降路（１１）内で移動可能に配置されたエレベータケージ（１２）を備え、エレベータ昇降路（１１）を閉じるための昇降路扉（１３）が、少なくとも１つの階（Ｓ１、Ｓ２、Ｓ３、Ｓ４）に配置されるエレベータ設備であって、昇降路扉（１３）が、少なくとも部分的に透明であり、昇降路扉（１３）への画像の投影のために設けられるプロジェクタ（１５、１６、１７）が、エレベータ昇降路（１１）内に配置されていることを特徴とする、エレベータ設備。
【請求項２】
昇降路扉（１３）が、エレベータ昇降路（１１）から離れた昇降路扉（１３）の一側面に画像の表示を可能とする材料を含んでいることを特徴とする、請求項１に記載のエレベータ設備。
【請求項３】
昇降路扉（１３）が、エレベータ昇降路（１１）から入射する光ビームを部分的に反射する薄膜で被覆されていることを特徴とする、請求項１または２に記載のエレベータ設備。
【請求項４】
プロジェクタ（１６、１７）によって射出される光ビームの昇降路扉（１３）への投影のために設けられた、少なくとも１つの光学的偏向装置（１８、２０）が配置されていることを特徴とする、請求項１から３のいずれか一項に記載のエレベータ設備。
【請求項５】
プロジェクタ（１５）が、昇降路扉（１３）に実質的に対向してエレベータ昇降路（１１）内に配置されていることを特徴とする、請求項１から３のいずれか一項に記載のエレベータ設備。
【請求項６】
プロジェクタ（１６、１７）が、昇降路扉壁部（２２）またはエレベータ昇降路（１１）における左側または右側側面の壁部（２３、２４）に配置されていることを特徴とする、請求項１から４のいずれか一項に記載のエレベータ設備。
【請求項７】
画像二重化ユニット（１９）が、プロジェクタ（１７）に結合されており、画像二重化ユニット（１９）が、少なくとも２つの昇降路扉（１３）への画像の直接または間接投影のために設けられていることを特徴とする、請求項１から６のいずれか一項に記載のエレベータ設備。
【請求項８】
エレベータケージ（１２）が、エレベータケーブル（１４）に固定され、且つ吊り下げケーブル（２１）に結合され、プロジェクタ（１５、１６、１７）および／または偏向装置（１８、２０）が、エレベータケーブル（１４）および吊り下げケーブル（２１）を通過した画像の投影を可能とする、エレベータ昇降路（１１）内における位置に配置されていることを特徴とする、請求項１から７のいずれか一項に記載のエレベータ設備。
【請求項９】
エレベータケージ（１２）の位置を検出するためのセンサ（２６）が、設けられ、且つ投影が、エレベータケージ（１２）の位置に応じてスイッチオフされ得ることを特徴とする、請求項１から８のいずれか一項に記載のエレベータ設備。
【請求項１０】
プロジェクタ（１７）が、昇降路扉壁部（２２）に配置され、且つ画像が、エレベータ昇降路（１１）において偏向装置（２０）に向けて投影され、プロジェクタ（１７）が、エレベータロビー（２７）からアクセス可能であることを特徴とする、請求項４から９のいずれか一項に記載のエレベータ設備。
【請求項１１】
プロジェクタ（１５、１６、１７）は、横方向について正しい画像が、エレベータロビー（２７、２８、２９、３０）に対峙している昇降路扉（１３）の一側面に表示されるような方法で画像を射出することを特徴とする、請求項１から１０のいずれか一項に記載のエレベータ設備。
【請求項１２】
エレベータ設備（１０）の昇降路扉（１３）に情報を表示するための方法であって、光ビームの射出のためのプロジェクタ（１５、１６、１７）が、エレベータ昇降路（１１）内に配置され、且つ画像が、エレベータ昇降路（１１）のほうに向けられた昇降路扉（１３）の一側面に投影され、エレベータ昇降路（１３）は、横方向について正しい画像が、エレベータロビー（２７、２８、２９、３０）に対峙している昇降路扉（１３）の一側面に表示されるように、部分的に透明であることを特徴とする、方法。
【発明の詳細な説明】
【技術分野】
【０００１】
本発明は、エレベータ昇降路に関し、該エレベータ昇降路は、階間においてエレベータ昇降路内を移動可能に配置されたエレベータケージを備え、エレベータ昇降路を閉じるための昇降路扉が、少なくとも１つの階に配置される。加えて、本発明は、エレベータ設備の昇降路扉に情報を表示するための方法に関する。
【背景技術】
【０００２】
エレベータケージの待ち時間を埋める目的で、エレベータ設備の近傍における乗客は、画像またはビデオの形態で情報をしばしば示される。これらの画像は、エレベータ設備の運転または状態に関するものであっても良いが、あるいは、単に広告のメッセージを含むものであっても良い。プロジェクタが、エレベータロビーに配置され、且つエレベータ設備の昇降路扉またはエレベータケージのケージ扉に画像を投影するエレベータ設備が、欧州特許出願公開第１０６９０６５号によって知られている。
【０００３】
近代建築物においてエレベータが存在しないことは、もはや想像することができない。近代建築物は、複雑な建築的構造を有する設計であることが多い。欧州特許出願公開第１０６９０６５号に提案された解決策は、エレベータロビーにプロジェクタを装備することを必要としている。しかしながら、エレベータロビーにおけるその種の装備は、プロジェクタは天井から吊り下げられなければならず、且つ画像の投影のための偏向装置が配置されなければならないため、それ自体が本質において複雑である、近代のオフィスビルの設計上、不利な影響を有している。
【０００４】
さらに、近代オフィスビルにおけるエレベータロビーは、通常光の状態にさらされる。通常の日光の影響のもとでは、ビデオビーマ（ｂｅａｍｅｒ）またはダイアプロジェクタ（ｄｉａｐｒｏｊｅｃｔｏｒ）を用いる昇降路扉への画像の投影のために、非常に高品質のプロジェクタが必要とされる。高品質で且つ高価なプロジェクタでさえも、通常の日光のもとで質的にハイグレードな画像を実際に投影することはできない。
【０００５】
エレベータロビーにおけるプロジェクタの設置におけるさらなる問題は、広いエリアにわたって画像またはビデオを表示することができるようにするために、プロジェクタが、昇降路扉から充分な距離に配置されなければならないことにある。このことは、プロジェクタのビーム光路に入る人が、表示されるべき画像を暗くする結果となる。この暗くすることは、偏向装置の複雑な構成によって部分的にのみ回避されることができ、これらの構成は、エレベータロビーの建築的構造を有する設計を損ない得る。
【特許文献１】欧州特許出願公開第１０６９０６５号明細書
【発明の開示】
【発明が解決しようとする課題】
【０００６】
この背景に対して、目的は、情報の表示が、エレベータロビーの設計を損なうことなく可能とされ、それにもかかわらず情報の質的にハイグレードな表示を達成する、エレベータ設備およびエレベータ設備の昇降路扉への情報の表示のための方法を示すことに帰着する。
【課題を解決するための手段】
【０００７】
この目的は、独立請求項の特徴によって達成される。
【０００８】
本発明は、ガラスまたは部分的に透明な材料からなる昇降路扉の場合に、エレベータ昇降路から画像を投影することが可能である、という概念に基づいている。その種の投影の場合には、画像は、エレベータ昇降路に面している昇降路扉の一側面に、プロジェクタによって投影される。部分的にのみ入射光ビームを反射させる昇降路扉の特性によって、画像は、昇降路扉の他側面、エレベータロビーに対峙する面に画像形成される。
【０００９】
近代オフィスビルにおいては、少なくとも部分的に透明なガラスまたは類似した材料が、昇降路扉としてしばしば使用される。この特徴は、本発明に従ったエレベータ設備の場合において有利に利用される。エレベータ昇降路からの投影によって、もはやプロジェクタおよび偏向装置をエレベータロビーに配置する必要はない。光が暗くされた状態は、たいていのエレベータ昇降路に一般的となっており、したがってエレベータ昇降路から昇降路扉への投影は、高品質で行なわれ得る。さらなる利点は、誰もプロジェクタのビーム光路に入ることができないという事実から結果として生じる。したがって、表示される情報を暗くすることは、排除される。
【００１０】
有利な実施形態は、従属請求項から推論され得る。
【００１１】
本発明の一つの有利な実施形態においては、昇降路扉に、エレベータロビーのほうに向けられた昇降路扉の一側面に画像の表示を可能とする材料が、組み込まれている。例えば、ガラスからなる昇降路扉に、エレベータ昇降路内へ戻る光ビームの部分的な反射を生じる薄膜を組み込むことが可能であり、この不完全な反射によって、画像が、エレベータ空間のほうに向けられた昇降路扉の一側面に画像化される。このことは、エレベータロビーで待っている人を、プロジェクタによって射出される光によって眩惑させることがないという利点を有している。さらにまた、表示される画像のコントラストにおける改善が、ガラス張りの昇降路扉における薄膜の配置によって可能である。
【００１２】
本発明のさらなる有利な実施形態においては、エレベータ昇降路において、昇降路扉にプロジェクタから射出される光ビームを投射する、少なくとも１つの光学的偏向装置を配設することが提案される。その種の偏向装置の使用を通して、エレベータ昇降路におけるいかなる位置にプロジェクタを配置させることも可能となる。
【００１３】
本発明の有利な実施形態の場合には、プロジェクタは、昇降路扉に対向してエレベータ昇降路内に配置されている。プロジェクタのその種の配置は、光ビームを偏向するためのさらなるどのような装置も必要としない。
【００１４】
上述された偏向装置の使用の場合において、昇降路扉壁部、またはエレベータ昇降路の左側または右側の壁部におけるプロジェクタの配置が、可能とされる。したがって、エレベータ昇降路におけるほとんどいかなる自由空間も、スペースを節約し且つ邪魔をしないようにして、プロジェクタを搭載するために利用され得る。
【００１５】
本発明のさらなる好ましい実施形態の場合には、画像二重化ユニットが、プロジェクタに結合されている。その種の画像二重化ユニットを用いることによって、１つの光ビームから２つの同一の光ビームを作成することが可能である。これら２つの光ビームは、各々それぞれの昇降路扉に導かれる。その場合において、２つの昇降路扉の直接光路に画像を再生することが可能である。エレベータ昇降路におけるプロジェクタのそれぞれの配置に応じて、偏向装置は、しかしながら、画像二重化ユニットによって送られる２つの光ビームをそれぞれの昇降路扉に導くために、および昇降路扉に画像を画像形成するために、必要とされても良い。
【００１６】
本発明の特別な実施形態においては、偏向装置は、ミラーとして構成される。その種のミラーは、到達した光ビームを昇降路扉上へ反射し、ミラーの向きによって、投射を正確に昇降路扉に向けることが可能となる。
【００１７】
本発明のさらなる有利な実施形態においては、エレベータケージは、エレベータケーブルに固定され、且つ吊り下げケーブルによって制御ユニットに結合される。昇降路扉への画像の干渉の無い投影を可能とするために、プロジェクタおよび任意には偏向装置も、エレベータケーブルおよび／または吊り下げケーブルを通過して画像の投射を可能とする位置において、エレベータ昇降路内に配置される。例えば、エレベータ昇降路の角部におけるプロジェクタの配置が可能であり、そのため光ビームが、エレベータケーブルおよび吊り下げケーブルを通過し、そして昇降路扉に入射する。
【００１８】
もしも、エレベータケージの位置を検出するセンサが、エレベータ昇降路内に配置され、且つ画像の投影が、エレベータケージの位置に応じてスイッチオフまたはスイッチオンされ得るならば、有利である。これらのセンサによって、エレベータケージが着床したときに、それぞれの階における投影を停止させることが可能とされる。エレベータケージが再び昇降路扉を開放した後に、投影が継続される。
【００１９】
本発明の有利な実施形態においては、プロジェクタは、昇降路扉壁部内に配置されており、画像は、エレベータ昇降路においてそこに配置された偏向装置に向けて投影される。偏向装置は、光ビームをそれぞれの昇降路扉へ偏向する。プロジェクタおよび昇降路扉壁部の配置は、プロジェクタがエレベータロビーからアクセス可能となるようにさせる。したがって、プロジェクタは、例えば、エレベータ設備の運転とは無関係に保守点検され且つ調整され得る。このことは、さもなければプロジェクタが、エレベータサービス提供者によって保守点検され且つ運転され得るのみであるから、プロジェクタに責任のあるサービス提供者が、エレベータ制御の詳細について習熟させられる必要がないという利点を有する。
【００２０】
エレベータ昇降路内におけるプロジェクタのそれぞれの配置に応じて、プロジェクタは、横方向について正しい画像またはミラー反転された画像を射出することが必要である。それゆえ、昇降路扉に対するプロジェクタの対向配置による直接投影の場合には、エレベータ昇降路のほうに向けられた昇降路扉の一側面への、画像のミラー反転投影が必要とされ、その結果、昇降路扉の、エレベータロビーに面する、反対の側面に横方向について正しく画像が表示される。昇降路扉壁部またはエレベータ昇降路内の左側壁部および右側壁部におけるプロジェクタの配置、および偏向装備の使用の場合には、画像は、プロジェクタによって横方向について正しい形態で射出されるように、それぞれの偏向装置において反射される。
【００２１】
本発明に従った方法は、画像の射出のためのプロジェクタが、エレベータ昇降路内に配置され、且つ画像は、エレベータ昇降路のほうに向けられた昇降路扉の一側面に投影され、昇降路扉は、横方向について正しい画像がエレベータロビーに対峙している昇降路扉の一側面に表示されるように、部分的に透明であることを提案する。
【００２２】
本発明は、図面に概略的な形態で図解されている実施形態の例を用いて、以下により詳細に説明されている。
【発明を実施するための最良の形態】
【００２３】
本発明に従ったエレベータ設備１０の構成は、図１を参照して説明されている。エレベータ設備１０は、内部で階Ｓ１、Ｓ２、Ｓ３、およびＳ４の間をエレベータケージ１２が移動される、エレベータ昇降路１１を備えている。エレベータケージ１２は、エレベータケーブル１４に固定され、且つモータ（図示せず）によって個々の階Ｓ１からＳ４の間を移動させられる。エレベータケージ１２は、吊り下げケーブル２１を経由して制御ユニット（図示せず）に結合されている。エレベータ昇降路１１は、階Ｓ１からＳ４において、それぞれの昇降路扉１３によって閉じられている。エレベータロビー２７、２８、２９、および３０は、個々の階Ｓ１からＳ４における昇降路扉１３の前に配置されている。エレベータ昇降路１１は、エレベータロビー２７から３０からエレベータ昇降路１１の範囲を定める昇降路扉壁部２２を有している。図２に図解されたように、エレベータ昇降路１１の左側壁部および右側壁部は、参照符号２３および２４によって示されている。昇降路扉１３に対向しているエレベータ昇降路壁部は、参照符号２５によって示されている。
【００２４】
エレベータ昇降路１１におけるプロジェクタ１５、１６、および１７についてのいくつかの選択的な配置が、図１に図解されている。第１の可能性のあるプロジェクタ１５の配置は、階Ｓ４に図解されている。プロジェクタ１５は、昇降路扉１３に対向して配置され、且つ画像がエレベータロビー３０に映し出されるように、昇降路扉１３に画像を投影する。プロジェクタ１５は、エレベータロビー３０における画像の横方向について正しい表示のために、画像をミラー反転形態にて射出しなければならない。
【００２５】
プロジェクタの他の配置が、階Ｓ３に示されている。プロジェクタ１６は、昇降路扉壁部２２に配置されている。その場合において、ミラーの形態での偏向装置１８が、プロジェクタ１６に結合されており、且つ上から射出された光ビームを昇降路扉１３に向けて反射する。階Ｓ３に示されるプロジェクタ１６の配置において、ミラー１８が画像の反射を請け負うから、射出される画像は、横方向に正しい形態であることが必要である。
【００２６】
プロジェクタ１７の配置のさらなる可能性は、階Ｓ１およびＳ２に図解されている。ここでは、プロジェクタ１７は、昇降路扉壁部２２に一体化されており、それゆえ、エレベータロビー２７からアクセス可能である。画像二重化ユニット１９が、プロジェクタ１７に結合されており、１つの光ビームから、階Ｓ１および階Ｓ２におけるミラー２０それぞれに導かれる２つの光ビームを生成する。ミラー２０ならびに階Ｓ１およびＳ２は、画像を、階Ｓ１およびＳ２のそれぞれの昇降路扉１３に向けて反射する。その種の配置は、２つの階Ｓ１およびＳ２における昇降路扉１３上への情報の表示のために、ただ１つのプロジェクタ１７が必要とされるという利点を有している。
【００２７】
エレベータケージ１２およびエレベータ昇降路１１の位置を検出するセンサ２６は、昇降路扉１３の上側側部および下側側部の領域に配置されている。エレベータケージ１２が階Ｓ３の領域内に、すなわち上方に移動したときに、プロジェクタ１３の投影は、制御ユニット（図示せず）によって停止される。エレベータケージ１２が階Ｓ３の位置を去った後に、プロジェクタ１６による投影が続けられる。階Ｓ１およびＳ２に図解されている通り、２つの階について１つのプロジェクタ１７の使用の場合には、各階Ｓ１、Ｓ２のための投影は、選択的に開始または停止させられる。このことは、エレベータケージ１２の階Ｓ２への移動の場合には、この階Ｓ２における投影が、中断されることを意味する。例えば、第２の階Ｓ２のために準備された画像二重化は、画像二重化ユニット１９においてスイッチオフされる。また、エレベータケージ１２の階Ｓ１への移動の場合には、プロジェクタ１７の投影が、階Ｓ１のために停止される。
【００２８】
昇降路扉１３への画像の干渉の無い表示を可能とするために、エレベータ昇降路１１内の角にプロジェクタ１５を配置することが有利である。これは、図２に概略的に図解されている。プロジェクタ１５は、実質的に昇降路扉１３に対向して配置される。画像の投影が、エレベータケーブル１４または吊り下げケーブル２１によって妨害されないように、光ビームは、それがエレベータケーブル１４および吊り下げケーブル２１を通過して走るように向けられる。昇降路扉１３上での画像の妨害の無い投影は、このようにして可能とされる。これは、画像の歪みを必要とするが、しかしながら、現在のプロジェクタまたはビデオビーマ１５から１７にとっては、問題とならない。
【００２９】
プロジェクタの他の好ましい配置は、図３に示されている。プロジェクタ１７は、昇降路扉壁部２２に配置されている。その場合において、上から射出された光ビームを昇降路扉１３に向けて反射する、ミラー２０の形態の偏向装置２０が、プロジェクタ１７に関連付けられている。その種の配置は、光ビームが最適な光路を有するため、昇降路扉１３への情報の表示のために、複雑で且つ高コストの画像処理ユニットが必要とされない、という利点を有している。
【００３０】
昇降路扉１３は、好ましくはガラス板からなり、そこには、リアプロジェクション薄膜としての薄膜が組み込まれている。その種の薄膜は、典型的には、入射光ビームを数回反射するアルミニウム粒子を含んでいる。エレベータロビー２７から３０で待っている人は、それゆえ入射光ビームによって眩惑されることもない。同時に、エレベータロビー２７から３０に面している昇降路扉１３の一側面に画像形成することが、それゆえ可能となる。本発明によれば、昇降路扉１３への情報の表示のためには、半透明ガラス被覆さえも適している。
【００３１】
前において述べられた、昇降路扉１３への情報の表示のためのエレベータ設備１０および方法によれば、質的にハイグレードな形態で部分的に透明な昇降路扉１３上に情報を表示することが可能とされる。エレベータ昇降路１１へのプロジェクタ１５、１６、および１７の搭載によって、複雑な設備装置によるエレベータロビー２７から３０の美観を損なうことが回避される。また、昇降路扉１３への投影は、昇降路扉１３の前でエレベータケージ１２を待っている人々によってゆがめられることはない。
【図面の簡単な説明】
【００３２】
【図１】本発明に従ったいくつかのプロジェクタを備えたエレベータ昇降路の概略図を示している。
【図２】図１に従ったエレベータ昇降路内を上方からみた図である。
【図３】本発明の好ましい実施形態に従ったプロジェクタを備えるエレベータ昇降路の概略図を示している。
【符号の説明】
【００３３】
Ｓ１、Ｓ２、Ｓ３、Ｓ４  階
１０  エレベータ設備
１１  エレベータ昇降路
１２  エレベータケージ
１３  昇降路扉
１４  エレベータケーブル
１５、１６、１７  プロジェクタ
１８、２０  偏向装置
１９  画像二重化ユニット
２１  吊り下げケーブル
２２  昇降路扉壁部
２３  左側壁部
２４  右側壁部
２６  センサ
２７、２８、２９、３０  エレベータロビー
【図１】
2006111448.tif 000003
【図２】
2006111448.tif 000004
【図３】
2006111448.tif 000005
【外国語明細書】
2006111448.tif 000006
2006111448.tif 000007
2006111448.tif 000008
2006111448.tif 000009
2006111448.tif 000010
2006111448.tif 000011
2006111448.tif 000012
2006111448.tif 000013
2006111448.tif 000014
2006111448.tif 000015
2006111448.tif 000016
2006111448.tif 000017
2006111448.tif 000018